(57)【要約】【課題】データ通信手順の異なる端末へのアクセスを可能にすること。【解決手段】端末から端末識別情報を取得する端末識別情報取得手段と、端末識別情報に基づいてサーバへ端末と通信を行うための通信ソフトウェアを要求する通信ソフトウェア要求手段と、サーバから送られてくる通信ソフトウェアを受信して保存する通信ソフトウェア取得手段と、当該通信ソフトウェアを実行することにより端末と通信を行う通信ソフトウェア実行手段とを設ける。【選択図】  図１
2004221910.tif 000002
【特許請求の範囲】
【請求項１】
端末と通信を行うための通信ソフトウェアが保存されているサーバから前記通信ソフトウェアをダウンロードして実行することにより前記端末と通信を行う端末アクセス装置であって、端末から端末識別情報を取得する端末識別情報取得手段と、前記端末識別情報に基づき、前記サーバへ前記端末と通信を行うための通信ソフトウェアを要求する通信ソフトウェア要求手段と、前記サーバから送られてくる通信ソフトウェアを受信して保存する通信ソフトウェア取得手段と、当該通信ソフトウェアを実行することにより前記端末と通信を行う通信ソフトウェア実行手段と、を備えたことを特徴とする端末アクセス装置。
【請求項２】
前記通信ソフトウェアのバージョン情報を保存する手段と、当該バージョン情報を前記サーバへ送信する手段と、を備えたことを特徴とする請求項１記載の端末アクセス装置。
【請求項３】
前記通信ソフトウェア取得手段は、通信ソフトウェアのうち、バージョンの相違による差分情報を受信し、さらに、前記差分情報と保存している前記通信ソフトウェアを用いて、ソフトウェアを作成するアップデート手段と、を備えたことを特徴とする請求項２記載の端末アクセス装置。
【請求項４】
端末から端末のソフトウェアを受信し、この受信したソフトウェアをサーバへ送信するソフトウェアアップロード手段と、前記端末から該ソフトウェアの要求情報を受信し、この要求情報に基づき該サーバへ、該ソフトウェアを要求するソフトウェア要求手段と、該サーバから送られてくる当該要求に基づくソフトウェアを受信するソフトウェアダウンロード手段と、受信したソフトウェアを前記端末へ送信する転送手段と、を備えたことを特徴とする請求項１ないし３のいずれか一に記載の端末アクセス装置。
【請求項５】
端末アクセス装置の識別情報を保存する手段と、利用者識別情報を入力する利用者識別情報取得手段と、端末から端末のソフトウェアを受信し、この受信したソフトウェアを少なくとも前記端末アクセス装置の識別情報を用いてスクランブルして、前記利用者識別情報と共にサーバへ送信するソフトウェアアップロード手段と、前記端末からソフトウェアの要求情報を受信し、この要求情報に基づき該サーバへ、利用者識別情報と共に該ソフトウェアの要求情報を送信する端末ソフトウェア要求手段と、当該要求情報に基づき該サーバから送られてくるソフトウェアを受信し、このソフトウェアのスクランブルを解除するソフトウェアダウンロード手段と、このスクランブルを解除されたソフトウェアを前記端末へ送信する転送手段と、を備えたとを特徴とする端末アクセス装置。
【請求項６】
端末と通信を行うための通信ソフトウェアが保存されているサーバから前記通信ソフトウェアをダウンロードして実行することにより前記端末と通信を行う端末アクセス方法であって、端末から端末識別情報を取得するステップと、前記端末識別情報に基づき、前記サーバへ前記端末と通信を行うための通信ソフトウェアを要求するステップと、前記サーバから送られてくる前記通信ソフトウェアを受信するステップと、前記通信ソフトウェアを起動することにより端末と通信を行うステップと、を含むことを特徴とする端末アクセス方法。
【請求項７】
端末と通信を行うための通信ソフトウェアが保存されているサーバから前記通信ソフトウェアをダウンロードして実行することにより前記端末と通信を行う端末アクセス方法であって、端末から端末識別情報を取得するステップと、通信ソフトウェアのバージョン情報を記憶するステップと、前記端末識別情報に基づき、前記バージョン情報と共に前記サーバへ前記端末と通信を行うための通信ソフトウェアを要求するステップと、前記サーバから送られてくるバージョンの相違によるソフトウェアの差分情報を受信するステップと、前記差分情報と保存している通信ソフトウェアを用いて、通信ソフトウェアを更新するステップと、この更新した通信ソフトウェアに基づく手順により前記端末との間で通信を確立するステップと、を含むことを特徴とする端末アクセス方法。
【請求項８】
端末のソフトウェアが保存されているサーバから送られてくる前記ソフトウェアを受信し、この受信したソフトウェアを端末へ転送して端末のソフトウェアを更新する端末アクセス方法であって、端末アクセス装置の識別情報を保存するステップ、端末から端末識別情報を取得するステップと、前記端末識別情報に基づき、前記サーバへ前記端末と通信を行うための通信ソフトウェアを要求するステップと、前記サーバから送られてくる前記通信ソフトウェアを受信するステップと、この受信した通信ソフトウェアに基づく手順により前記端末との間で通信を確立するステップと、端末から利用者識別情報を入力するステップと、端末から端末のソフトウェアを受信し、この受信したソフトウェアを少なくとも前記端末アクセス装置の識別情報を用いてスクランブルして、前記利用者識別情報と共に前記サーバへ送信するステップと、前記端末からソフトウェアの要求情報を受信し、この要求情報に基づき前記サーバへ、利用者識別情報と共に該ソフトウェアの要求情報を送信するステップと、当該要求情報に基づき前記サーバから送られてくるソフトウェアを受信し、このソフトウェアのスクランブルを解除するステップと、このスクランブルを解除されたソフトウェアを前記端末へ送信するステップと、を含むことを特徴とする端末アクセス方法。
【請求項９】
端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末種別に対応する一または二以上の世代の通信ソフトウェアを記憶するステップと、前記端末アクセス装置から送られてくる端末識別情報に基づき端末種別を抽出するステップと、該端末種別に対応する通信ソフトウェアを前記端末アクセス装置へ送信するステップと、を含むことを特徴とする端末ソフトウェア管理方法。
【請求項１０】
端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末種別に対応する一または二以上の世代の通信ソフトウェアを差分情報として記憶するステップと、前記計短端末アクセス装置から送られてくる端末識別情報と通信ソフトウェアのバージョン情報を受信するステップと、前記端末識別情報に基づき端末種別を抽出するステップと、該端末種別と前記バージョン情報に基づいて通信ソフトウェアの差分情報を抽出するステップと、抽出した通信ソフトウェアの差分情報を前記端末アクセス装置へ送信するステップと、を含むことを特徴とする端末ソフトウェア管理方法。
【請求項１１】
端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末アクセス装置から送られてくる端末識別情報に基づき端末種別を抽出するステップと、該端末種別に対応する通信ソフトウェアを前記端末アクセス装置へ送信するステップと、前記端末アクセス装置から送られてくる利用者識別情報および端末のソフトウェアを受信するステップと、前記受信した端末のソフトウェアを利用者識別情報と関係付けて記憶するステップと、前記端末アクセス装置から送られてくる利用者識別情報および端末のソフトウェア要求情報を受信するステップと、当該要求情報に基づいて、前記保存されている当該利用者識別情報に対応するソフトウェアを送信するステップと、を含むことを特徴とする端末ソフトウェア管理方法。
【請求項１２】
携帯電話の後部コネクタと接続するための接続部と、通信ネットワークを接続するための通信部と、前記接続部を介して、携帯電話の製造番号情報を入力する手段と、前記製造番号情報に基づき、前記携帯電話との通信ソフトウェアの送信要求を前記通信部を介して送信する手段と、前記通信部を介して通信ソフトウェアを受信して記憶する手段と、当該通信ソフトウェアにより前記携帯電話と通信を行う携帯電話通信手段と、前記通信部を通して受信した携帯電話のソフトウェアを前記携帯電話通信手段を介して前記携帯電話へ送信する転送手段と、を備えたことを特徴とする端末アクセス装置。
【発明の詳細な説明】
【０００１】
【発明の属する技術分野】
本発明は、携帯電話などの端末装置と情報を管理するサーバとの間にインタフェース装置（アクセス装置）を設け、この装置を介してサーバと端末装置との情報の送受信を行う端末アクセス装置、端末アクセス方法、および、端末ソフトウェア管理方法に関する。
【０００２】
【従来の技術】
一般に、携帯電話等の端末装置のプログラムやデータ（以下、ソフトウェアという）を更新したりバックアップするには、その端末装置からサーバにアクセスして、最新のソフトウェアをダウンロードしたりバックアップを行うという手法が採られている。
【０００３】
また、特開２００１−３３７８３２号公報に記載の「端末装置」では、記憶メディアに端末プログラム世代情報を格納しておき、端末装置に該記憶メディアを装着することにとって、端末プログラムの妥当性をチェックするという手法が提案されている。
【０００４】
さらに、特開２０００−３２４２３７号公報に記載の「携帯電話のデータバックアップ機能付充電器及び充電器接続用データバックアップ装置」では、充電器にメモリ制御回路を設け携帯電話の充電操作に合わせて携帯電話に記憶されているデータのバックアップを行う充電器及び装置が提案されている。
【０００５】
しかしながら、端末装置からサーバへアクセスすることによって、ソフトウェアをダウンロードするには、通常、携帯電話の場合はボタン操作が、コンピュータの場合はキーボードによる操作が必要となる。また、電話番号帳などの個人データをサーバに保存するような場合は、セキュリティが問題となる。
【０００６】
一方、記憶メディアや充電器にメモリ機能を設けることにより、ソフトウェアの更新やデータのバックアップを行う方法は、端末の種類によってデータの受け渡し手順（データ通信手順）が異なる場合には、端末の種類ごとに記憶メディアや充電器が必要となる。
【０００７】
【発明が解決しようとする課題】
本発明はかかる従来の事情に対処してなされたものであり、データ通信手順の異なる端末に対しても使用可能な端末アクセス装置、端末アクセス方法、および、端末ソフトウェア管理方法を提供することを目的とする。
【０００８】
【課題を解決するための手段】
上記目的を達成するため、請求項１の発明に係わる端末アクセス装置は、端末と通信を行うための通信ソフトウェアが保存されているサーバから前記通信ソフトウェアをダウンロードして実行することにより前記端末と通信を行う端末アクセス装置であって、端末から端末識別情報を取得する端末識別情報取得手段と、前記端末識別情報に基づき、前記サーバへ前記端末と通信を行うための通信ソフトウェアを要求する通信ソフトウェア要求手段と、前記サーバから送られてくる通信ソフトウェアを受信して保存する通信ソフトウェア取得手段と、当該通信ソフトウェアを実行することにより前記端末と通信を行う通信ソフトウェア実行手段とを備えたことを特徴とする。
【０００９】
請求項１記載の発明では、端末アクセス装置から端末識別情報をサーバへ送り、サーバ側から送られてくる端末識別情報をインデックスとして抽出された通信ソフトウェアを受信して実行することにより、端末アクセス装置は、端末の通信手順の違いに影響されず通信が可能となる。
ここで、通信ソフトウェアの要求の際は、端末識別情報そのものを送っても良いし、端末識別情報と通信ソフトウェアの種別との対応関係をもとにその種別情報を送るようにしても良い。
【００１０】
なお、「端末」とは、端末として使用可能な装置で、携帯電話の他、ＰＤＡやパーソナルコンピュータ（以下、パソコンという）なども含む。
「ソフトウェア」とは、プログラムまたはデータ、あるいは、その両方を意味する。また、ファームウェアも含む趣旨である。また、データは、プログラムとの関係の有無は問わない。「保存」は、一時的な保存も含む。電源の入／切により記憶が消滅するか否かは問わない。
【００１１】
請求項２の発明に係わる端末アクセス装置は、さらに、前記通信ソフトウェアのバージョン情報を保存する手段と、当該バージョン情報を前記サーバへ送信する手段とを備えたことを特徴とする。
【００１２】
請求項３の発明に係わる端末アクセス装置は、さらに、前記通信ソフトウェア取得手段は、通信ソフトウェアのうち、バージョンの相違による差分情報を受信し、前記差分情報と保存している前記通信ソフトウェアを用いて、ソフトウェアを作成するアップデート手段とを備えたことを特徴とする。
【００１３】
請求項４発明に係わる端末アクセス装置は、さらに、端末から端末のソフトウェアを受信し、この受信したソフトウェアをサーバへ送信するソフトウェアアップロード手段と、前記端末から該ソフトウェアの要求情報を受信し、この要求情報に基づき該サーバへ、該ソフトウェアを要求するソフトウェア要求手段と、該サーバから送られてくる当該要求に基づくソフトウェアを受信するソフトウェアダウンロード手段と、受信したソフトウェアを前記端末へ送信する転送手段とを備えたことを特徴とする。
【００１４】
請求項４記載の発明では、通信手順の異なる端末のソフトウェアを自動的にサーバへ送信してバックアップすることが可能になる。
ここで、端末のソフトウェアを送信（バックアップ）するサーバは、通信ソフトウェアが保存されているサーバと同じでも、異なっていてもよく、その両方を含む趣旨である。
【００１５】
請求項５発明に係わる端末アクセス装置は、端末アクセス装置の識別情報を保存する手段と、利用者識別情報を入力する利用者識別情報取得手段と、端末から端末のソフトウェアを受信し、この受信したソフトウェアを少なくとも前記端末アクセス装置の識別情報を用いてスクランブルして、前記利用者識別情報と共にサーバへ送信するソフトウェアアップロード手段と、前記端末からソフトウェアの要求情報を受信し、この要求情報に基づき該サーバへ、利用者識別情報と共に該ソフトウェアの要求情報を送信する端末ソフトウェア要求手段と、当該要求情報に基づき該サーバから送られてくるソフトウェアを受信し、このソフトウェアのスクランブルを解除するソフトウェアダウンロード手段と、このスクランブルを解除されたソフトウェアを前記端末へ送信する転送手段とを備えたことを特徴とする。
【００１６】
請求項５記載の発明では、端末アクセス装置の識別情報を用いて端末のソフトウェアをスクランブルするので、サーバに保存されている間も含めてセキュリティが確保できる。
ここで、「端末のソフトウェア」とは、端末上で動作または利用されるという意味で、その用途は問わない。したがって、端末で動作するソフトウェアのほか、端末装置の動作環境データ、あるいは、その端末の利用者のソフトウェア、例えば、電話番号帳、メールアドレス、画像データや種々のファイルなども含む。
【００１７】
請求項６の発明に係わる端末アクセス方法は、端末と通信を行うための通信ソフトウェアが保存されているサーバから前記通信ソフトウェアをダウンロードして実行することにより前記端末と通信を行う端末アクセス方法であって、端末から端末識別情報を取得するステップと、前記端末識別情報に基づき、前記サーバへ前記端末と通信を行うための通信ソフトウェアを要求するステップと、前記サーバから送られてくる前記通信ソフトウェアを受信するステップと、前記通信ソフトウェアを起動することにより端末と通信を行うステップとを含むことを特徴とする。
【００１８】
ここで、「端末識別情報」とは、少なくとも端末の機種を識別可能であれば足りる趣旨である。
【００１９】
請求項７の発明に係わる端末アクセス方法は、端末と通信を行うための通信ソフトウェアが保存されているサーバから前記通信ソフトウェアをダウンロードして実行することにより前記端末と通信を行う端末アクセス方法であって、端末から端末識別情報を取得するステップと、通信ソフトウェアのバージョン情報を記憶するステップと、前記端末識別情報に基づき、前記バージョン情報と共に前記サーバへ前記端末と通信を行うための通信ソフトウェアを要求するステップと、前記サーバから送られてくるバージョンの相違によるソフトウェアの差分情報を受信するステップと、前記差分情報と保存している通信ソフトウェアを用いて、通信ソフトウェアを更新するステップと、この更新した通信ソフトウェアに基づく手順により前記端末との間で通信を確立するステップとを含むことを特徴とする。
【００２０】
請求項８の発明に係わる端末アクセス方法は、端末のソフトウェアが保存されているサーバから送られてくる前記ソフトウェアを受信し、この受信したソフトウェアを端末へ転送して端末のソフトウェアを更新する端末アクセス方法であって、端末アクセス装置の識別情報を保存するステップと、端末から端末識別情報を取得するステップと、前記端末識別情報に基づき、前記サーバへ前記端末と通信を行うための通信ソフトウェアを要求するステップと、前記サーバから送られてくる前記通信ソフトウェアを受信するステップと、この受信した通信ソフトウェアに基づく手順により前記端末との間で通信を確立するステップと、端末から利用者識別情報を入力するステップと、端末から端末のソフトウェアを受信し、この受信したソフトウェアを少なくとも前記端末アクセス装置の識別情報を用いてスクランブルして、前記利用者識別情報と共に前記サーバへ送信するステップと、前記端末からソフトウェアの要求情報を受信し、この要求情報に基づき前記サーバへ、利用者識別情報と共に該ソフトウェアの要求情報を送信するステップと、当該要求情報に基づき前記サーバから送られてくるソフトウェアを受信し、このソフトウェアのスクランブルを解除するステップと、このスクランブルを解除されたソフトウェアを前記端末へ送信するステップとを含むことを特徴とする。
【００２１】
請求項９の発明に係わる端末ソフトウェア管理方法は、端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末種別に対応する一または二以上の世代の通信ソフトウェアを記憶するステップと、前記端末アクセス装置から送られてくる端末識別情報に基づき端末種別を抽出するステップと、該端末種別に対応する通信ソフトウェアを前記端末アクセス装置へ送信するステップとを含むことを特徴とする。
【００２２】
請求項９の発明では、端末識別情報から端末種別を抽出し、さらに、その端末種別に対応する通信ソフトウェアを抽出することとしたので、通常は端末識別情報と端末種別との管理のみを行えばよいので管理が容易となる。
ここで、端末識別情報から端末種別の「抽出」のしかたは、たとえば、製造番号（端末識別情報）から特定のアルゴリズムで機種（端末種別）を演算するようにしても良いが、テーブルを参照して抽出するようにしても良い。
【００２３】
請求項１０の発明に係わる端末ソフトウェア管理方法は、端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末種別に対応する一または二以上の世代の通信ソフトウェアを差分情報として記憶するステップと、前記計短端末アクセス装置から送られてくる端末識別情報と通信ソフトウェアのバージョン情報を受信するステップと、前記端末識別情報に基づき端末種別を抽出するステップと、該端末種別と前記バージョン情報に基づいて通信ソフトウェアの差分情報を抽出するステップと、抽出した通信ソフトウェアの差分情報を前記端末アクセス装置へ送信するステップとを含むことを特徴とする。
【００２４】
請求項１０の発明では、世代ごとに差分情報をとして保存することとしたので、通信の負荷を軽減することができる。
ここで、「端末種別」は、通信ソフトウェアの相違を区別できれば良く、必ずしも、キャリアや機種の詳細まで区別できる必要はない。
【００２５】
請求項１１の発明に係わる端末ソフトウェア管理方法は、端末と接続された端末アクセス装置と通信可能なサーバを用いて端末のソフトウェアを保存・管理する端末ソフトウェア管理方法であって、端末と端末アクセス装置との通信を行う通信ソフトウェアを端末種別と関係付けて記憶するステップと、端末識別情報と端末種別との対応関係情報を記憶するステップと、前記端末アクセス装置から送られてくる端末識別情報に基づき端末種別を抽出するステップと、該端末種別に対応する通信ソフトウェアを前記端末アクセス装置へ送信するステップと、前記端末アクセス装置から送られてくる利用者識別情報および端末のソフトウェアを受信するステップと、前記受信した端末のソフトウェアを利用者識別情報と関係付けて記憶するステップと、前記端末アクセス装置から送られてくる利用者識別情報および端末のソフトウェア要求情報を受信するステップと、当該要求情報に基づいて、前記保存されている当該利用者識別情報に対応するソフトウェアを送信するステップとを含むことを特徴とする。
【００２６】
請求項１２の発明に係わる端末アクセス装置は、携帯電話の後部コネクタと接続するための接続部と、通信ネットワークを接続するための通信部と、前記接続部を介して、携帯電話の製造番号情報を入力する手段と、前記製造番号情報に基づき、前記携帯電話との通信ソフトウェアの送信要求を前記通信部を介して送信する手段と、前記通信部を介して通信ソフトウェアを受信して記憶する手段と、当該通信ソフトウェアにより前記携帯電話と通信を行う携帯電話通信手段と、前記通信部を通して受信した携帯電話のソフトウェアを前記携帯電話通信手段を介して前記携帯電話へ送信する転送手段とを備えたことを特徴とする。
請求項１２記載の発明では、携帯電話の製造番号を端末識別情報として使用する。なお、サーバ側に製造番号体系から機種を特定するアルゴリズムを備え、これにより該当する機種からその通信ソフトウェアを特定するようにすれば、製造番号体系が替わったとき、または、通信ソフトウェアが変更になったときのみ保守をすれば良いので省力化を図ることができる。
【００２７】
【発明の実施の形態】
以下に本発明の第１の実施の形態を説明する。図１は、第１の実施の形態に係わる端末アクセス装置およびその装置と繋がる携帯電話とサーバの機能ブロック図である。
【００２８】
ここで、端末アクセス装置１は、中央演算処理部（ＣＰＵ部）３、データ用メモリ２、ワーク用メモリ５、プログラム用メモリ７、携帯電話通信コネクタ（端末接続部）４、読み込みボタン４０、および、書き込みボタン４１で構成されている。また、プログラム用メモリ７には、モデムモジュール８と携帯電話データ通信モジュール９が保存されている。
【００２９】
携帯電話２０は、端末アクセス装置１と通信を行うための後部コネクタ用データ通信プログラム２１、携帯電話内部メモリ２２、電話番号２３、および、製造番号２４を有している。また、携帯電話内部メモリ２２には、ダイヤルデータ、画像データ、音楽データなどが記憶されている。
【００３０】
また、携帯電話２０は、インターネット網を介してＷＥＢサーバー３０と接続する。ＷＥＢサーバー３０には、ＣＧＩ等のサーバープログラム３１や携帯電話別データ通信モジュール３２が含まれている。
【００３１】
図２は、端末アクセス装置の動作概要の説明図である。この図を用いて、端末アクセス装置１と各種  携帯電話２０とのデータ通信手順の違いを吸収させる手法を説明する。
【００３２】
まず、携帯電話２０との通信手順の違いを吸収する為、端末アクセス装置１に搭載される携帯電話データ通信モジュール９をＷｅｂサーバー３０上に携帯電話別データ通信モジュール３２として保管しておく。
【００３３】
保管されている携帯電話別データ通信モジュール３２としては、キャリア及び携帯電話の機種毎に分割されたモジュールと、それらを製造番号でインデックス化したファイルを保存しておく。
【００３４】
端末アクセス装置１から携帯電話２０を介してＷｅｂサーバー３０に携帯電話の製造番号が通知される（Ｓ１０１）。Ｗｅｂサーバー３０上で動作するサーバープログラム３１は、携帯電話別データ通信モジュール管理用テーブル３３を用いて通知された製造番号２４をキーにして該当するキャリアの携帯電話別データ通信モジュールを抽出して、そのモジュール名と共に抽出したデータ通信モジュールを携帯電話２０経由で端末アクセス装置１へ送信する（Ｓ１０２、Ｓ１０３）。
【００３５】
次に、図３に基づいて端末アクセス装置の動作を説明する。
＜初期動作＞
【００３６】
まず、端末アクセス装置１と携帯電話２０を繋げたときに、端末アクセス装置１は携帯電話の製造番号（端末識別情報）２４を携帯電話２０から取得し、端末アクセス装置１のワーク用メモリ５に保存する（Ｓ２０１）。
【００３７】
携帯電話の製造番号２４を得ることができた端末アクセス装置１は、機能ボタンなどのトリガーにより（Ｓ２０２）、携帯電話通信モジュール９と製造番号２４との整合性のチェック（Ｓ２０３）の後、内部に搭載されているモデムモジュール８を起動させて携帯電話２０を動作させインターネットにダイアルアップ接続し（Ｓ２０４）、ユーザ認証（Ｓ２０５）などを行いＷｅｂサーバー３０との通信を確立する。
【００３８】
Ｗｅｂサーバー３０との通信が確立すれば、Ｗｅｂサーバー３０上のサーバープログラム３１に携帯電話の製造番号２４をキーにしてアクセスすることにより（Ｓ２０６）、ダウンロードすべき携帯電話別データ通信モジュール３２を得ることができる。
【００３９】
サーバープログラム３１より得た携帯電話別データ通信モジュール３２は、端末アクセス装置１の携帯電話通信モジュールエリア９にダウンロードされ（Ｓ２０７）、取得した携帯電話通信モジュール９のタイプを端末アクセス装置１のワーク用メモリ５に残しておく。
【００４０】
携帯電話別データ通信モジュール３２のダウンロードに成功した端末アクセス装置１は、携帯電話２０を使ってインターネットにダイアルアップ接続しているのを中断する。
【００４１】
ここまでの流れで、端末アクセス装置１と各種  携帯電話２０とのデータ通信の違いを吸収させた携帯電話通信モジュール９の取得が完了する。
【００４２】
次に、携帯電話通信モジュール９を起動して携帯電話とのデータ通信を開始する（Ｓ２０８）。以下、端末アクセス装置と携帯電話との間の読み込み、書き込み動作について説明する。
【００４３】
＜端末アクセス装置からの読み込み動作＞
端末アクセス装置１の携帯電話通信モジュールエリア９に、携帯電話別データ通信モジュール３２のダウンロードが終了している端末アクセス装置１は、携帯電話２０とのデータ通信が可能になり、携帯電話２０の後部コネクタ用データ通信プログラム２１を介して、携帯電話の内部メモリ２１に保存されている各種データを読み込むことが可能になる。
この状態の端末アクセス装置１を携帯電話２０に繋ぎ、端末アクセス装置１の読み込みボタン４０を押すと、端末アクセス装置１の携帯電話通信モジュール９は、携帯電話２０の後部コネクタ用データ通信プログラム２１とデータ通信を開始する。
【００４４】
端末アクセス装置１の携帯電話通信モジュール９と携帯電話２０の後部コネクタ用データ通信プログラム２１は決まった通信手順によって通信が行われ、携帯電話の内部メモリ２１を端末アクセス装置１のデータ用メモリ２に保存する。
【００４５】
＜端末アクセス装置への書き込み動作＞
端末アクセス装置１の携帯電話通信モジュールエリア９に、携帯電話別データ通信モジュール３２のダウンロードが終了している端末アクセス装置１は、携帯電話２０とのデータ通信が可能になり、携帯電話２０の後部コネクタ用データ通信プログラム２１を介して、携帯電話の内部メモリ２１に各種データを書き込むことが可能になる。
【００４６】
この状態の端末アクセス装置１を携帯電話２０に繋ぎ、端末アクセス装置１の書込みボタン４１を押すと、端末アクセス装置１の携帯電話通信モジュール９は、携帯電話２０の後部コネクタ用データ通信プログラム２１とデータ通信を開始する。
【００４７】
端末アクセス装置１の携帯電話通信モジュール９と携帯電話２０の後部コネクタ用データ通信プログラム２１は決まった通信手順によって通信が行われ、端末アクセス装置１のデータ用メモリ２に保存されているデータを、携帯電話の内部メモリ２１に書き込む。
【００４８】
なお、通信ソフトウェアにＵＲＬ誘導プログラムを含めておき、利用者に設定情報を入力してもらうことにより、データベースに個人情報をバックアップ保存することも可能である。このとき、端末アクセス装置固有の識別情報でその個人情報をスクランブルすることにより効率よく高いセキュリティで保存することが可能となる。
【００４９】
また、端末アクセス装置を充電機能付きのクレードル型にしておき、携帯電話をセットして自動的に携帯電話のコンテンツをアップデートするようにしてもよい。
【００５０】
以上、携帯電話と通信を行うための通信ソフトウェアをダウンロードする場合を例に挙げて説明したが、携帯電話に限らず、コンピュータの設定環境データや個人ファイルなどのソフトウェアを本実施の形態の端末アクセス装置によりスクランブルを行った上で、サーバに保存しておき、別の場所で他のコンピュータにダウンロードしてスクランブルを解除して使用することも可能である。
【００５１】
このようにすれば、端末アクセス装置を携帯するだけで、いろいろな場所で個人ファイルを扱うことが可能となる。
【００５２】
【発明の効果】
以上説明したように、本発明においては、端末識別情報に対応した通信ソフトウェアをダウンロードするので、ボタン等の複雑な操作をすることなく、データ通信手順の異なる端末装置とも容易に通信を行うことができる。
【図面の簡単な説明】
【図１】第１の実施の形態に係わる端末アクセス装置およびその装置と繋がる携帯電話とサーバの機能ブロック図
【図２】図１の端末アクセス装置の動作概要の説明図
【図３】図１の端末アクセス装置の基本動作の処理手順を示すフローチャート
【符号の説明】
１…端末アクセス装置、２…データ用メモリ、３…中央演算処理部、４…携帯電話通信コネクタ、５…ワーク用メモリ、５…プログラム用メモリ、８…モデムモジュール、９…携帯電話データ通信モジュール、２０…携帯電話、２１…後部コネクタ用データ通信プログラム、２２…携帯電話内部メモリ、２３…電話番号、２４…製造番号、３０…Ｗｅｂサーバー、３１…サーバープログラム、３２…携帯電話別データ通信モジュール、４０…読み込みボタン、４１…書き込みボタン
【図１】
2004221910.tif 000003
【図２】
2004221910.tif 000004
【図３】
2004221910.tif 000005